(57)【要約】【課題】光熱費の削減及び効率の良い冷暖房運転をすることを図った空気調和機を提供する。【解決手段】フィンを複数枚並設させて、該フィンに蛇行状に貫通縦断している伝熱管と該伝熱管の内部に水を送水するための水入口及び水出口とで構成されている熱交換器コイル５及び室外機１をベース１３上に設け、空気調和機の冷暖房運転時、室外機１の吹き出し口１７から放出される熱風を捕らえると共に、室外機１の日除けの為に、吹き出し口１７の前面から室外機天井面１６上まで、上面が前方斜め上方へむくように水平のベース１３に対して３０度から45度傾斜させて、ベース１３上に熱交換器コイル５設け、吹き出し口１７から放出される熱風の熱及び太陽の放熱を、熱交換器コイル５の伝熱管内に流す水に回収させることを特徴とする空気調和機。また、室外熱交換器のアルミニウムフィン及び冷媒配管に風呂の残り湯又は風呂の冷めた残り湯を散水する散水装置を設けたことを特徴とする空気調和機。【選択図】図１２
2010281541.tif 000002
【特許請求の範囲】
【請求項１】
太陽の放射熱を吸熱する為に、フィンを複数枚並設させて、該フィンの一番広い面を蛇行状に貫通縦断している伝熱管と該伝熱管の内部に水を送水するための水入口及び水出口とで構成されている熱交換器コイルを、室外機の吹き出し口前面から該室外機天井面上まで、上面が前方斜め上方へむくように傾斜させて設け、該室外機の日除けをして、かつ、空気調和機の冷房運転時、該吹き出し口から放出される熱風の熱，外気の熱及び太陽の放射熱を、前記熱交換器コイルの伝熱管内に流す水に回収させるようにしたことを特徴とする空気調和機。
【請求項２】
前記熱交換器コイルの傾斜の角度は、水平面に対して３０度から４５度であることを特徴とする請求項１に記載の空気調和機。
【請求項３】
前記熱交換器コイルのフィンは長方形であり、長方形のフィンの４つの角の内の１つの角が最も下に来る様に斜めに立てた状態に支持して、長方形及び長方形の最長辺の傾斜角度は、水平面に対して３０度から４５度であり、長方形の最短辺の傾斜角度は、水平面に対して４５度から６０度であり、長方形のフィンを前記室外機の吹き出し口前面から該室外機天井面上まで設け、長方形の最長辺の２辺の内の一辺が、該室外機天井面カバーと接して、水平の天井面カバーと天井面上の辺が形成する角度は、３０度から４５度であることを特徴とする請求項２記載の空気調和機。
【請求項４】
前記熱交換器コイルのフィンは平行四辺形であり、平行四辺形の最短辺の２辺の内の一辺が最も下に来る様に斜めの状態に支持し、平行四辺形及び行四辺形の最長辺の傾斜角度は、水平面に対して３０度から４５度であり、平行四辺形のフィンを前記室外機の吹き出し口前面から該室外機天井面上まで設け、平行四辺形の最長辺の２辺の内の一辺が、該室外機の天井面カバーと接して、水平の天井面カバーと天井面上の辺が形成する角度は、３０度から４５度であり、最短辺は水平面に対して平行であることを特徴とする請求項２に記載の空気調和機。
【請求項５】
水平に設けられているベース上に、前記室外機を垂直に配置し、該室外機の吹き出し口前面から該室外機天井面上まで、前記熱交換器コイルを３０度から４５度の傾斜さけて該ベース上に配置することにより、該室外機前面の吹き出し口側のカバーと該熱交換器コイルが接して形成する角度は、４５度から６０度であることを特徴とする請求項３又は４に記載の空気調和機。
【請求項６】
前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆ったことを特徴とする請求項５に記載の空気調和機。
【請求項７】
前記熱交換器コイルに外気を送風する為に、前記室外機のファンモーターを単独に駆動する回路を設けたことを特徴とする請求項６に記載の空気調和機。
【請求項８】
室外機熱交換器のアルミニウムフィン及び冷媒配管に、風呂の残り湯又は冷めた風呂の残り湯を散水する散水装置を設けたことを特徴とする請求項７に記載の空気調和機。
【請求項９】
前記散水装置は、円柱状の管に等間隔に複数の穴をあけて、前記室外機熱交換器のアルミニウムフィンの最上部に水平の室外機天井面と平行に該散水装置を横設し、該散水装置の水入口に電磁弁をもうけたことを特徴とする請求項８に記載の空気調和機。
【請求項１０】
前記熱交換器コイル及び前記散水器に、水又は風呂の残り湯を選択的に流す為に、前記室外機と浴槽の間に往復する配管を設け、該浴槽から室外機へ送水する為の往路配管の先端に、該浴槽にて給水バルブ又は揚水ポンプを設け、かつ、該熱交換器コイルから該浴槽へ水又はお湯を戻すための復路配管を、該室外機から該浴槽の間に設けたことを特徴とする請求項９に記載の空気調和機。
【発明の詳細な説明】
【技術分野】
【０００１】
本発明は、地球温暖化の原因となっている大気への熱負荷を軽減すると共に、光熱費の削減及び効率の良い冷暖房運転をすることを図った空気調和機に関するものである。
【背景技術】
【０００２】
空気調和機は、室内に設置され、内部の熱交換器で冷媒と室内の空気との間で熱交換を行う室内機と、室内機と冷媒管を介して接続され、室内機で熱交換を行った冷媒と外気との熱交換を行う室外機とを備えている。そのような従来の空気調和機の室外機は、冷房運転において、冷媒と熱交換して温度上昇した空気を吹き出し口から放出させるようにしている。また、太陽の放射熱を遮るために、空気調和機の室外機天井面上に日除け屋根を設けていた。
【０００３】
【特許文献１】特開１９９９−１５９８０９号公報
【発明の概要】
【発明が解決しようとする課題】
【０００４】
しかしながら、そのようにして室外機内から放出される熱風は、大気への熱負荷となって環境上の問題となるだけでなく、熱風が持っている熱エネルギーを利用せずに無駄に捨てていると共に、暖かい外気及び太陽の放射熱の自然エネルギーも有効利用できていなという問題点もあった。さらに、風呂の残り湯の熱エネルギー及び冷めた風呂の残り湯の冷却エネルギーも有効利用できていなかった。
【０００５】
本発明は、そのような問題点に鑑み、次のことを目的とするものである。
（イ）冷房運転において、室外機の吹き出し口から放出される熱風及び太陽の放射熱の熱エネルギーを有効利用すると共に、効率の良い冷房運転をする。
（ロ）暖房運転において、風呂の残り湯の熱エネルギーを有効利用して、霜取りをすると共に、効率の良い暖房運転をする。
（ハ）冷房運転において、冷めた風呂の残り湯の冷却エネルギーを有効利用して、効率の良い冷房運転をする。
（二）室外機に日除けを設けて、効率の良い冷房運転すると同時に、太陽の放射熱の熱エネルギーを有効利用する
（ホ）熱交換器コイルに暑い外気を吹きつけて、自然の熱エネルギーを有効利用する。
【課題を解決するための手段】
【０００６】
前記課題を解決するため、本願請求項１にかかる発明は、太陽の放射熱を吸熱する為に、フィンを複数枚並設させて、該フィンの一番広い面を蛇行状に貫通縦断している伝熱管と該伝熱管の内部に水を送水するための水入口及び水出口とで構成されている熱交換器コイルを、室外機の吹き出し口前面から該室外機天井面上まで、上面が前方斜め上方へむくように傾斜させて設け、該室外機の日除けをして、かつ、空気調和機の冷房運転時、該吹き出し口から放出される熱風の熱，外気の熱及び太陽の放射熱を、前記熱交換器コイルの伝熱管内に流す水に回収させるようにしたことを特徴とする。                    
【０００７】
また、本願の請求項２にかかる発明は、請求項１にかかる発明において、前記熱交換器コイルの傾斜の角度は、水平面に対して３０度から４５度であることを特徴とする。
【０００８】
また、本願の請求項３にかかる発明は、請求項２にかかる発明において、前記熱交換器コイルのフィンは長方形であり、長方形のフィンの４つの角の内の一つの角が最も下に来る様に斜めに立てた状態に支持して、長方形及び長方形の最長辺の傾斜角度は、水平面に対して３０度から４５度であり、長方形の最短辺の傾斜角度は、水平面に対して４５度から６０度であり、長方形のフィンを前記室外機の吹き出し口前面から該室外機天井面上まで設け、長方形の最長辺の２辺の内の一辺が、該室外機天井面カバーと接して、水平の天井面カバーと天井面上の辺が形成する角度は、３０度から４５度であることを特徴とする。
【０００９】
また、本願の請求項４にかかる発明は、請求項２にかかる発明において、前記熱交換器コイルのフィンは平行四辺形であり、平行四辺形の最短辺の２辺の内の一辺が最も下に来る様に斜めの状態に支持し、平行四辺形及び行四辺形の最長辺の傾斜角度は、水平面に対して３０度から４５度であり、平行四辺形のフィンを前記室外機の吹き出し口前面から該室外機天井面上まで設け、平行四辺形の最長辺の２辺の内の一辺が、該室外機の天井面カバーと接して、水平の天井面カバーと天井面上の辺が形成する角度は、３０度から４５度であり、最短辺は水平面に対して平行であることを特徴とする。
【００１０】
また、本願の請求項５にかかる発明は、請求項３又は４にかかる発明において、水平に設けられているベース上に、前記室外機を垂直に配置し、該室外機の吹き出し口前面から該室外機天井面上まで、前記熱交換器コイルを３０度から４５度の傾斜さけて該ベース上に配置することにより、該室外機前面の吹き出し口側のカバーと該熱交換器コイルが接して形成する角度は、４５度から６０度であることを特徴とする。
【００１１】
また、本願の請求項６にかかる発明は、請求項５にかかる発明において、前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆ったことを特徴とする。
【００１２】
また、本願の請求項７にかかる発明は、請求項６にかかる発明において、前記熱交換器コイルに外気を送風する為に、前記室外機のファンモーターを単独に駆動する回路を設けたことを特徴とする。
【００１３】
また、本願の請求項８にかかる発明は、請求項７にかかる発明において、室外機熱交換器のアルミニウムフィン及び冷媒配管に、風呂の残り湯又は冷めた風呂の残り湯を散水する散水装置を設けたことを特徴とする。
【００１４】
また、本願の請求項９にかかる発明は、請求項８にかかる発明において、前記散水装置は、円柱状の管に等間隔に複数の穴をあけて、前記室外機熱交換器のアルミニウムフィンの最上部に水平の室外機天井面と平行に該散水装置を横設し、該散水装置の水入口に電磁弁をもうけたことを特徴とする。  
【００１５】
また、請求項１０にかかる発明において、請求項９にかかる発明において、前記熱交換器コイル及び前記散水器に、水又は風呂の残り湯を選択的に流す為に、前記室外機と浴槽の間に往復する配管を設け、該浴槽から室外機へ送水する為の往路配管の先端に、該浴槽にて給水バルブ又は揚水ポンプを設け、かつ、該熱交換器コイルから該浴槽へ水又はお湯を戻すための復路配管を、該室外機から該浴槽の間に設けたことを特徴とする。
【発明の効果】
【００１６】
本発明の空気調和機は、次のような効果を奏する。
すなわち、請求項１にかかる発明においては、前記課題を解決するため、太陽の放射熱を吸熱する為に、フィンを縦方向に複数枚並設させて、該フィンに蛇行状に貫通縦断している伝熱管と該伝熱管の内部に水を送水するための水入口及び水出口とで構成されている熱交換器コイルを、空気調和機の冷房運転時、吹き出し口から放出される熱風を捕らえると共に、室外機の日除けの為に、該吹き出し口の前面から室外機の天井面上まで設け、該吹き出し口から放出される熱風の熱，外気の熱及び太陽の放射熱を、該熱交換器コイルの伝熱管内に流す水に回収させるようにした。その結果、冷房運転において、吹き出し口から放出される熱風は、水により冷却された熱交換器コイルの伝熱管及びフィンに接蝕することにより、冷却されてから大気中へ放出するので、大気への熱負荷は軽減する。
逆に、吹き出し口前面に傾斜して設けられている、熱交換器コイルの伝熱管の内部の水は、熱風により温まる。温まった水を、温水として貯湯タンク及び浴槽等へ有効利用でき、光熱費の削減になる。また、室外機の天井面上まで熱交換器コイル設けたことにより、日除けをして冷房運転の効率を上げると同時に、太陽の放射熱を吸熱して、水を温めて貯湯タンク及び浴槽等へ有効利用できる。
【００１７】
また、請求項２，３，４及び５にかかる発明においては、請求項１にかかる空気調和機において、前記熱交換器コイルのフィンの形状は、長方形又は平行四辺形であり、長方形又は平行四辺形の傾斜角度は、水平面に対して３０度から４５度することにより、熱交換器コイルの傾斜角度も、水平面に対して３０度から４５度になる。そして、該熱交換器コイルの設置の方位を南に取り付けることにより年間を通して太陽の放射熱を効果的に捕らえることができるので、熱交換器コイルを設置するだけで、太陽熱利用温水器の効果がある。
【００１８】
また、請求項６にかかる発明においては、請求項５にかかる空気調和機において、前記室外機及び傾斜している前記熱交換器コイルを前記ベースの上に設けて、前記吹き出し口から放出される熱風が、漏れずに該熱交換器コイルだけを通過する様に、該室外機，該熱交換器コイル及び該ベースの左右の側面を板で覆ったことにより、吹き出し口から放出される熱風を効果的に熱交換器コイルで捕らえることができる。
【００１９】
また、請求項７にかかる発明においては、請求項６にかかる空気調和機において、前記熱交換器コイルに外気を送風する為に、前記室外機のファンモーターを単独に駆動する回路を設けたので、熱交換器コイルに、暑い外気を吹きつける。例として、２００７年８月１６日埼玉県熊谷市に於いて、気温４０．９度を記録しましたが、家庭の水道水温は、２６度前後です。室外機のファンモーターを単独に駆動する回路により、熱交換器コイルのフィン及び伝熱管に、暑い外気を吹き付けて、伝熱管内部の水道水を加熱して、貯湯タンク及び浴槽等へ使用すれば、風呂の追い焚きの光熱費の削減及び大気への熱負荷の軽減となる。
【００２０】
また、本願の請求項８にかかる発明においては、請求項７にかかる空気調和機において、散水装置により、風呂の残り湯を、室外機熱交換器のフィン及び冷媒配管に散水することにより、暖房効果が上がると共に、フィンの霜取りにも効果がある。また、冷房運転においては、散水装置により、冷めた風呂の残り湯を室外機熱交換器のフィン及び冷媒配管に散水することにより、冷房効率が良くなる。
【００２１】
また、本願の請求項９にかかる発明においては、請求項８にかかる空気調和機において、前記散水装置は、円柱状の管の側面に直径約２ミリ程度の穴を、約１0ｍｍから２０ｍｍ程度に等間隔にあけて、室外機熱交換器のフィンの最上部に横設して、室外機天井面と平行に設ける共に、該散水装置の水入口に電磁弁を設けて、電磁弁を遠隔操作によりフィン及び冷媒配管に効果的に、散水することができる。
【００２２】
また、請求項１０にかかる発明においては、請求項９にかかる空気調和機において、前記熱交換器コイルに水を流すと共に、前記散水器に、風呂の残り湯を流す為に、前記室外機と浴槽の間を往復する配管を設け、浴槽から室外機へ送水する為の往路配管を設け、浴槽から給水する為に、浴槽にて往路配管の先端に給水バルブ又は揚水ポンプを設けると共に、該熱交換器コイルから浴槽へ水又はお湯を戻すための復路配管を、該室外機から該浴槽へ設けることにより浴槽の残り湯を有効利用できる。
【図面の簡単な説明】
【００２３】
【図１】空気調和機の構成図
【図２】熱交換器コイルの正面図
【図３】熱交換器コイルの斜視図
【図４】長方形フィンの右側面図
【図５】長方形フィンの左側面図
【図６】平行四辺形フィンの右側面図
【図７】平行四辺形フィンの左側面図
【図８】本発明の室外機の設置構成図
【図９】太陽の放射熱を捕らえる熱交換器コイルの側面図
【図１０】熱交換器コイルの右側面に板の取り付け斜視図
【図１１】熱交換器コイルの左側面に板の取り付け斜視図
【図１２】本発明の空気調和機の室外機の冷房運転状態を示す断面図
【図１３】本発明の空気調和機の室外機のファンモーター単独運転状態を示す断面図
【図１４】散水装置の断面図
【図１５】散水装置の側面図
【図１６】散水装置の取り付け及び使用図
【図１７】本発明の室外機において水の使用状態を示す斜視図
【図１８】散水器において風呂の残り湯の利用状態を示す斜視図
【図１９】熱交換器コイルにおいて冷めた風呂の残り湯を加熱する状態を示す斜視図
【発明を実施するための最良の形態】
【００２４】
以下、本発明の実施するための形態を図１〜図１９に基づいて説明する。
【実施例】
【００２５】
図１は、空気調和機の構成図である。図１において、本発明の空気調和機は、従来と同様に室外機１，室内機２，冷媒配管３，信号線４にて構成されている。                  
【００２６】
図２は、熱交換器コイルの正面図である。図２において、熱交換器コイル５は、縦方向に複数枚並設しているフィン６に、蛇行状に貫通縦断している伝熱管７と伝熱管７の内部に水を送水するための水入り口８及び水出口９とで構成されていて、複数枚並設しているフィン６及び蛇行状に貫通縦断している伝熱管７は、室外機の吹き出し口から放出する熱風を通過させながら、熱風を捕らえる。
また、室外機吹き出し口前面から該室外機の天井面上まで、フィン６の厚み側が対面する。フィン６の厚みは、０．５ｍｍから０．８ｍｍである。
【００２７】
図３は、熱交換器コイルの斜視図である。図３において、太陽の放射熱を吸熱する為に、フィン６を縦方向に、面積の一番広い面を複数枚対面させて並設させて、長方形又は平行四辺形のフィン６の面積の一番広い面を蛇行状に伝熱管７が貫通縦断している。また、伝熱管７の内部に水を送水するための水入口８及び水出口９とで構成されている熱交換器コイル５を、室外機の吹き出し口前面から該室外機天井面上まで設け、該室外機の日除けをする。さらに、空気調和機の冷房運転時、該吹き出し口から放出される熱風を通過させながら、熱風を捕らえると共に、太陽の放射熱を、前記熱交換器コイルの伝熱管内に流す水に回収させる。また、伝熱管７の材質は、銅，真鍮及びステンレス等である。
【００２８】
図４は、長方形フィンの右側面図である。図４において、フィン６の側面の最長辺１０と対辺の最長辺１１により長方形１２を形成する。長方形１２及び最長辺１０が水平のベース１３に対しての傾斜角度Ａは、３０度から４５度であり、最長辺１１は最長辺１０と平行である。
また、最短辺１４の傾斜角度Ｄは、ベース１３に対して４５度から６０度であり、最短辺１５は最短辺１４と平行である。さらに、ベース１３に室外機１を角度Ｃである垂直に設置して、長方形１２の最長辺の２辺の内の一辺１０が、室外機天井面１６と接して、水平の室外機天井面１６と室外機天井面１６上の辺１０が形成する角度Ｅは、３０度から４５度であり、ベース１３と最短辺１４が接して形成する傾斜角度Ｄは、４５度から６０度である。そして、伝熱管７に水を送水する為に、長方形フィン６の下部に水入口８及び上部に水出口９を設けている。また、室外機吹き出し口１７前面から天井面１６上まで、フィン６の厚み側である最長辺１０が対面し、フィン６の厚みは、０．５ｍｍから０．８ｍｍである。フィン６は平板状であり、長方形フィン６の大きさは、最短辺１４及び１５の長さは約２５ｍｍから５０ｍｍ程度で、フィン６の材質は、銅，アルミニウム及びステンレス等である。
【００２９】
図５は、長方形フィンの左側面図である。図４において、フィン６の側面の最長辺１０と対辺の最長辺１１により形成する長方形１２及び最長辺１０が水平のベース１３に対しての傾斜角度Ａは、３０度から４５度であり、最長辺１１は最長辺１０と平行である。
また、最短辺１４の傾斜角度Ｄは、ベース１３に対して４５度から６０度であり、最短辺１５は最短辺１４と平行である。さらに、ベース１３に室外機１を角度Ｃである垂直に設置して、長方形１２の最長辺の２辺の内の一辺１０が、室外機天井面１６と接して、水平の室外機天井面１６と室外機天井面１６上の辺１０が形成する角度Ｅは、３０度から４５度であり、ベース１３と最短辺１４が接して形成する傾斜角度Ｄは、４５度から６０度である。また、室外機吹き出し口１７前面から天井面１６上まで、長方形フィン６の厚み側である最長辺１０が対面し、フィン６の厚みは、０．５ｍｍから０．８ｍｍである。
フィン６は平板状であり、長方形フィン６の大きさは、最短辺の14及び１５長さは約２５ｍｍから５０ｍｍ程度で、フィン６の材質は、銅，アルミニウム及びステンレス等である。
【００３０】
図６は、平行四辺形フィンの右側面図である。図６において、フィン６の側面の最長辺１９と対辺の最長辺２０により形成する平行四辺形２１及び最長辺１９が水平のベース１３に対しての傾斜角度Ａは、３０度から４５度であり、最長辺２０は最長辺１９と平行である。また、最短辺２２は、ベース１３上にあり、ベース１３に対して平行であり、最短辺２３は最短辺２２と平行である。さらに、ベース１３上に室外機１を角度Ｃである垂直に設置して、平行四辺形２１の最長辺の２辺の内の一辺１９が、室外機天井面１６と接して、水平の室外機天井面１６と室外機天井面１６上の辺１９が形成する角度Ｅは、３０度から４５度である。そして、伝熱管７に水を送水する為に、平行四辺形２１のフィ６ンの下部に水入口８及び上部に水出口９を設けている。また、室外機吹き出し口１７前面から天井面１６上まで、フィン６の厚み側である最長辺１９が対面し、フィン６の厚みは、０．５ｍｍから０．８ｍｍである。フィン６は平板状であり、平行四辺形２１のフィン６の大きさは、最短辺２２及び２３の長さは約２５ｍｍから５０ｍｍ程度で、フィンの材質は、銅，アルミニウム及びステンレス等である。
【００３１】
図７は、平行四辺形フィンの左側面図である。図７において、フィン６の側面の最長辺１９と対辺の最長辺２０により形成する平行四辺形２１及び最長辺１９が水平のベース１３に対しての傾斜角度Ａは、３０度から４５度であり、最長辺２０は最長辺１９と平行である。また、最短辺２２は、ベース１３に対して平行であり、最短辺２３も最短辺２２と平行である。さらに、ベース１３に室外機１を角度Ｃである垂直に設置して、平行四辺形２１の最長辺の２辺の内の一辺１９が、室外機天井面１６と接して、水平の室外機天井面１６と室外機天井面１６上の辺１９が形成する角度Ｅは、３０度から４５度である。
【００３２】
図８は、本発明の室外機の設置構成図である。図８において、水平に設けられているベース１３上に、室外機１を配置する角度Ｃは、垂直である。また、室外機１の吹き出し口１７前面から室外機天井面１６上まで熱交換器コイル５を、水平ベース１３に対して角度Ａである３０度から４５度の傾斜を設けてベース１３上に配置することにより、室外機前面の吹き出し口側のカバー１８と熱交換器コイル５が接して形成する角度Ｂは、４５度から６０度であり、熱交換器コイル５が、室外機天井面１６と接して、水平の室外機天井面１６と天井面１６上の熱交換器コイル５が形成する角度Ｅは、３０度から４５度でありことを特徴とする請求項５に記載の空気調和機である。
【００３３】
図９は、太陽の放射熱を捕らえる熱交換器コイルの側面図である。図９において、熱交換器コイル５の傾斜角度Ａは、水平のベース１３に対して３０度から４５度であり、また、熱交換器コイル５を傾斜させたことにより、室外機１への矢印の太陽の放射熱を遮断すると同時に、熱交換器コイル５は、矢印の太陽の放射熱を効果的に、捕らえることができる。
【００３４】
図１０は、本発明の熱交換器コイルの右側面に板の取り付け斜視図である。図１０において、室外機１及び傾斜している熱交換器コイル５をベース１３の上に設けて、吹き出し口１７から放出される熱風が、漏れずに熱交換器コイル５だけを通過する様に、室外機１，熱交換器コイル５及びベース１３の右の側面を三角形の板２４で覆っている。
【００３５】
図１１は、本発明の熱交換器コイルの左側面に板の取り付け斜視図である。図１１において、室外機１及び傾斜している熱交換器コイル５をベース１３の上に設けて、吹き出し口１７から放出される熱風が、漏れずに熱交換器コイル５だけを通過する様に、室外機１，熱交換器コイル５及びベース１３の左の側面を三角形の板２４で覆っている。
【００３６】
図１２は、本発明の空気調和機の室外機の冷房運転状態を示す断面図である。図１２において、従来の室外機１は、ファンモーター２５が駆動して、ファン２６の回転により、外気は矢印の方向へ進む。外気は、室外機１内に吸い込まれ室外機熱交換器２７を通過することにより加熱され、熱風となって吹き出し口１７から、無駄に捨てられて大気への熱負荷となっていました。しかし、本発明の空気調和機は、室外機１の吹き出し口１７の前面に傾斜させて熱交換器コイル５をベース１３上に設けて、室外機１の吹き出し口１７から放出される熱風を熱交換器コイル５で捕らえて、熱交換器コイル５の伝熱管内部の水を加熱して、温まった水を貯湯タンク及び風呂等へ有効利用して、光熱費の削減及び大気への熱負荷を軽減する。
また、室外機１の吹き出し口１７前面から天井面１６上まで、熱交換器コイル５を設けることにより、室外機１の日除けになり、冷房効率を上げると共に、太陽の放射熱を捕らえて、熱交換器コイル５の伝熱管内部の水を加熱する効果がある。
【００３７】
図１３は、本発明の空気調和機の室外機のファンモーター単独運転状態を示す断面図である。図１３において、例として、２００７年８月１６日埼玉県熊谷市に於いて、気温４０．９度を記録しましたが、家庭の水道水温は、２６度前後です。室外機１のファンモーター２５を単独に駆動する回路により、ファン２６を回転させて、暑い外気を矢印の方向に送風して、熱交換器コイル５のフィン及び伝熱管に暑い外気を吹きつけて、伝熱管内部の水道水を加熱して、例えば、貯湯タンク及び浴槽等へ使用すれば、風呂の追い焚きの光熱費の削減及び大気への熱負荷の軽減となる。
【００３８】
図１４は、散水装置の断面図である。図１４において、散水装置２８は円柱状であり、側面に水又はお湯を散水する為の穴２９を等間隔に複数設け、往路配管３０と水入口配管３１の間に電磁弁３２を取り付けて、電磁弁３２を遠隔操作により、散水ができる。
尚、散水装置２８の材質は、銅，真鍮，塩化ビニール，ステンレス又はプラスチック製等で、その大きさは直径約１５ｍｍから３０ｍｍ程度、長さ約５００ｍｍから７００ｍｍ程度の円柱状である。
【００３９】
図１５は、散水装置の側面図である。図１５において、散水装置２８は、風呂の残り湯を散水する為に、円柱状の管の側面に直径約２ミリ程度の穴２９を、約１０ｍｍから２０ｍｍ程度の等間隔に複数あけてある。
【００４０】
図１６は、散水装置の取り付け及び使用図である。図１６において、散水装置２８は、室外機熱交換器２７のアルミニウムフィン３３の最上部に横設して室外機天井面１６と平行に横設けて、円柱状の管の側面の穴２９がアルミニウムフィン３３に対面して設けている。また、散水装置２８の水入口配管３１の手前に電磁弁３２が設けられている。そして、冷房運転時において、アルミニウムフィン３３及び冷媒配管３４に、冷めた風呂の残り湯を矢印の方向に、散水することによりアルミニウムフィン３３及び冷媒配管３４を冷却して、冷房効率をあげる。また、暖房運転時においては、風呂の残り湯を矢印の方向に散水することによりアルミニウムフィン３３及び冷媒配管３４を加熱して、暖房効率を上げると共に、アルミニウムフィン３３に付着した霜取りにも効果がある。
【００４１】
図１７は、本発明の室外機において水の使用状態を示す斜視図である。図１７において、冷房運転時には、給水バルブ３５を開くと水道水は往路配管３０を通り、熱交換器コイル５の水入口８から伝熱管７へ水道水を送水することにより、室外機１の吹き出し口１７から放出する熱風を捕らえて冷却してから、大気へ放出するので大気への熱負荷を軽減する。
逆に、熱交換器コイル５の伝熱管７内部の水道水の水温は上昇して、温水として水出口９から復路配管３６を通って、貯湯タンク又は浴槽３７等に利用して、温水温度上昇をより効率化でき光熱費の削減になる。
【００４２】
図１８は、室外機において風呂の残り湯の利用状態を示す斜視図である。図１８において、暖房運転時には、浴槽３７の風呂の残り湯を揚水ポンプ３８にて汲み上げて、往路配管３０を通り、散水装置２８の水入口配管３１の手前に設けられている電磁弁３２を遠隔操作により開くことにより、散水装置２８により、室外機熱交換器２７のアルミニウムフィン３３及び冷媒配管３４に散水して、加熱して暖房効率を上げて、光熱費の削減及びフィンの霜取りにも効果がある。また、浴槽３７の冷めた風呂の残り湯を、揚水ポンプ３８にて汲み上げて、往路配管３０を通り、遠隔操作により電磁弁３２を開くことにより、散水装置２８により、室外機熱交換器２７のアルミニウムフィン３３及び冷媒配管３４に散水して、アルミニウムフィン３３及び冷媒配管３４を冷却して冷房効率を上げて、光熱費の削減をする。
【００４３】
図１９は、熱交換器コイルにおいて冷めた風呂の残り湯を加熱する状態を示す斜視図である。図１９において、浴槽３７の風呂の冷めた残り湯を揚水ポンプ３８にて汲み上げて、往路配管３０を通り、熱交換器コイル５の水入口８から伝熱管７へ風呂の冷めた残り湯を送水することにより、室外機１の吹き出し口１７から放出する熱風を捕らえて冷却してから、大気へ放出するので大気への熱負荷を軽減する。
逆に、熱交換器コイル５の伝熱管７内部の冷めた残り湯の水温は上昇して、温水として水出口９から復路配管３６を通って、貯湯タンク又は浴槽３７等に再利用して、温水温度上昇をより効率化でき光熱費の削減になる。
また、空気調和機を冷房運転しなくても、熱交換器コイル５を太陽利用温水器として使用して、風呂の冷めた残り湯を熱交換器コイル５に送水して温めることができる。
【符号の説明】
【００４４】
１  室外機
２  室内機
３  冷媒配管
４  信号線
５  熱交換器コイル
６  フィン
７  伝熱管
８  水入口
９  水出口
１０  最長辺
１１  最長辺
１２  長方形
１３  水平のベース
１４  最短辺
１５  最短辺
１６  室外機天井面
１７  吹き出し口
１８  室外機前面の吹き出し口側のカバー
１９  最長辺
２０  最長辺
２１  平行四辺形
２２  最短辺
２３  最短辺
２４  板
２５  ファンモーター
２６  ファン
２７  室外機熱交換器
２８  散水装置
２９  穴
３０  往路配管
３１  水入口配管
３２  電磁弁
３３  アルミニウムフィン  
３４  冷媒配管
３５  給水バルブ
３６  復路配管
３７  浴槽
３８  揚水ポンプ
Ａ  ベース（水平面）と熱交換器コイル又はフィンが接して形成する角度
Ｂ  室外機前面の吹き出し口側カバーと熱交換器コイルが接して形成する角度
Ｃ  ベース上に室外機を設置する角度
Ｄ  ベースと長方形フィンの最短辺が接して形成する角度
Ｅ  水平の室外機天井面と長方形フィン又は平行四辺形フィンの一辺が形成する角度
【図１】
2010281541.tif 000003
【図２】
2010281541.tif 000004
【図３】
2010281541.tif 000005
【図４】
2010281541.tif 000006
【図５】
2010281541.tif 000007
【図６】
2010281541.tif 000008
【図７】
2010281541.tif 000009
【図８】
2010281541.tif 000010
【図９】
2010281541.tif 000011
【図１０】
2010281541.tif 000012
【図１１】
2010281541.tif 000013
【図１２】
2010281541.tif 000014
【図１３】
2010281541.tif 000015
【図１４】
2010281541.tif 000016
【図１５】
2010281541.tif 000017
【図１６】
2010281541.tif 000018
【図１７】
2010281541.tif 000019
【図１８】
2010281541.tif 000020
【図１９】
2010281541.tif 000021